【手続補正書】
【提出日】平成20年4月2日(2008.4.2)
【手続補正１】
【補正対象書類名】明細書
【補正対象項目名】特許請求の範囲
【補正方法】変更
【補正の内容】
【特許請求の範囲】
【請求項１】  内容項目をネットワーク上でサービス地域内の受信者のプロセッサにダウンロードで配信するシステムであって、
それぞれが前記受信者のプロセッサに配信する前記内容項目を記憶するための記憶装置を有し、前記ネットワーク上で通信するように接続され、前記サービス地域内に分散された複数のエッジサーバであって、各エッジサーバに全ての利用可能な内容項目が記憶されないように、最も使用頻度の低い内容を判断するアルゴリズムを適用し、判断に基づいて最も使用頻度が低い内容項目が各エッジサーバに記憶される、エッジサーバと、
前記ネットワーク上で通信するように接続された少なくとも１つの親サーバであって、前記少なくとも１つの親サーバは、利用可能な全ての内容項目を記憶して前記複数のエッジサーバに内容項目を提供し、前記複数のエッジサーバから前記複数のエッジサーバ自体が記憶していない内容項目の要求を受ける、親サーバと、
前記受信者のプロセッサからの前記内容項目に対する要求を受信及び処理するインターフェースを提供し、それぞれが前記受信者のプロセッサを前記要求された内容項目を取得するように前記エッジサーバに導くようにプログラム又は構成され、前記ネットワーク上で通信するように接続された少なくとも１つの主サーバと、
を備えることを特徴とするシステム。
【請求項２】  請求項１に記載のシステムであって、前記ネットワークがインターネットを含み、かつ前記インターフェースが前記少なくとも１つの主サーバによって支援されたウェブサイトを含むことを特徴とするシステム。
【請求項３】  請求項１に記載のシステムであって、前記各エッジサーバが、前記主サーバによって前記エッジサーバに向けられた前記受信者のプロセッサからの内容項目に対する要求を受信し、前記要求に応答して、前記要求された内容項目が前記エッジサーバに記憶されているかどうかを判断し、前記要求された内容項目が前記エッジサーバに記憶されていない場合は、前記内容項目を前記親サーバに要求するようにプログラム又は構成されることを特徴とするシステム。
【請求項４】  請求項１に記載のシステムであって、前記内容項目がディジタルコード化ファイルを含み、前記各ファイルが少なくとも５００メガバイトのデータを有することを特徴とするシステム。
【請求項５】  請求項１に記載のシステムであって、前記内容項目がディジタルコード化された映画ファイルを含むことを特徴とするシステム。
【請求項６】  請求項１に記載のシステムであって、前記受信者のプロセッサを方向付けする動作が、前記受信者のプロセッサに少なくとも１つのエッジサーバに関するネットワークアドレスを提供する動作を含むことを特徴とするシステム。
【請求項７】  請求項１に記載のシステムであって、前記受信者のプロセッサを方向付けする動作が、少なくとも１つのエッジサーバを見つけるユニフォームリソースロケーター（ＵＲＬ）を前記受信者のプロセッサに提供する動作を含み、前記ＵＲＬが要求された内容項目を識別するトークンも含むことを特徴とするシステム。
【請求項８】  請求項１に記載のシステムであって、前記受信者のプロセッサを方向付けする動作が、少なくとも１つのエッジサーバを見つけるユニフォームリソースロケーター（ＵＲＬ）を前記受信者のプロセッサに提供する動作を含み、前記ＵＲＬが前記受信者のプロセッサを識別するトークンを含むことを特徴とするシステム。
【請求項９】  内容項目をネットワーク上でサービス地域内の受信者のプロセッサにダウンロードで配信する方法であって、
前記ネットワークに接続されている少なくとも１つの親サーバに全ての利用可能な内容項目を記憶するステップと、
内容項目を前記ネットワーク上の前記少なくとも１つの親サーバから受信し、選択された内容項目を前記ネットワークに接続され前記サービス地域内に分散された複数のエッジサーバに記憶するステップであって、前記複数のエッジサーバは前記少なくとも１つの親サーバに対して自身が記憶していない内容項目を要求する、ステップと、
各エッジサーバに全ての利用可能な内容項目が記憶されないように、最も使用頻度の低い内容項目を判断するアルゴリズムを適用し、判断に基づいて最も使用頻度の低い内容項目を各エッジサーバに記憶するステップと、
前記受信者のプロセッサからの内容項目に対する要求を受信及び処理するための、前記ネットワーク上に接続された少なくとも１つの主サーバにインターフェースを提供するステップと、
前記少なくとも１つの主サーバ上の前記内容項目に対する要求の受信及び処理に応答して、前記要求された内容項目を取得するために、前記受信者のプロセッサを前記エッジサーバに導くステップと、
を備えることを特徴とする方法。
【請求項１０】  請求項９に記載の方法であって、前記ネットワークがインターネットを含み、かつ前記インターフェースが前記少なくとも１つの主サーバによって支援されたウェブサイトを含むことを特徴とする方法。
【請求項１１】  請求項９に記載の方法であって、前記受信者のプロセッサをエッジサーバに導くステップが、前記主サーバによって前記エッジサーバに向けられた内容項目に対する要求をエッジサーバにおいて受信するステップと、前記要求に応答して、前記要求された内容項目が前記エッジサーバに記憶されているかどうかを判断するステップと、及び前記要求された内容項目が前記エッジサーバに記憶されていない場合は、前記内容項目を前記親サーバに要求するステップとを含むことを特徴とする方法。
【請求項１２】  請求項９に記載の方法であって、前記内容項目がディジタルコード化ファイルを含み、前記各ファイルが少なくとも５００メガバイトのデータを有することを特徴とする方法。
【請求項１３】  請求項９に記載の方法であって、前記内容項目がディジタルコード化された映画ファイルを含むことを特徴とする方法。
【請求項１４】  請求項９に記載の方法であって、前記受信者のプロセッサを導くステップが、前記受信者のプロセッサに前記少なくとも１つのエッジサーバに関するネットワークアドレスを提供するステップを含むことを特徴とする方法。
【請求項１５】  請求項９に記載の方法であって、前記受信者のプロセッサを導くステップが、少なくとも１つのエッジサーバを見つけるユニフォームリソースロケーター（ＵＲＬ）を前記受信者のプロセッサに提供するステップを含み、前記ＵＲＬが前記要求された内容項目を識別するトークンも含むことを特徴とする方法。
【請求項１６】  請求項９に記載の方法であって、前記受信者のプロセッサを導くステップが、少なくとも１つのエッジサーバを見つけるユニフォームリソースロケーター（ＵＲＬ）を前記受信者のプロセッサに提供するステップを含み、前記ＵＲＬが前記受信者のプロセッサを識別するトークンを含むことを特徴とする方法。
【請求項１７】  請求項９に記載の方法が、前記受信者のプロセッサが指定された地域内にいるかどうかを判断するステップ、及び前記指定された地域内にいない場合は、前記受信者のプロセッサに対して前記要求された内容へのアクセスを拒否するステップをさらに備えることを特徴とする方法。
【請求項１８】  請求項９に記載の方法であって、前記受信者のプロセッサをエッジサーバに導くステップが、負荷平均化技術によって前記受信者のプロセッサを導くことができる適当なエッジサーバを決定するステップを含むことを特徴とする方法。
【請求項１９】  請求項１８に記載の方法であって、前記負荷平均化技術が最適ディストリビュータ選択（Best Distributor Selection）ＢＤＩシステムを含むことを特徴とする方法。
【請求項２０】  内容項目をネットワーク上でサービス地域内の受信者のプロセッサにダウンロードで配信する方法であって、
前記内容項目を前記ネットワーク上で接続された少なくとも１つの親サーバに記憶するステップと、
前記内容項目を前記ネットワーク上で前記少なくとも１つの親サーバから受信するステップ、及び前記内容項目を前記ネットワーク上で接続され前記サービス地域内に分散された複数のエッジサーバに記憶するステップと、
前記受信者のプロセッサからの内容項目に対する要求を受信及び処理するための、前記ネットワーク上に接続された少なくとも１つの主サーバにインターフェースを提供するステップと、
前記少なくとも１つの主サーバにおける前記内容項目に対する要求の受信及び処理に応答して、前記要求された内容項目を取得するために、前記受信者のプロセッサを前記エッジサーバに導くステップと、
前記少なくとも１つの主サーバが受信及び処理した前記支払い情報に基づいて、前記エッジサーバから取得した内容項目への前記受信者のプロセッサによるアクセスをコントロールするステップと、
を備えることを特徴とする方法。
【請求項２１】  請求項２０に記載の方法であって、前記ネットワークがインターネットを含み、かつ前記インターフェースが前記少なくとも１つの主サーバによって支援されたウェブサイトを含むことを特徴とする方法。